(57)【要約】  【課題】入出庫の際に面倒な入出庫の情報入力操作をなくし、簡単な方法で確実に在庫管理ができる冷蔵庫を提供する。  【解決手段】情報タグを付けた食品保管容器２に食品を入れて在庫管理することにより冷蔵庫１に取り付けられた情報タグ検出手段により、入力の手間を掛けず自動的に入出庫管理をおこなうことができるため在庫管理の手間がいらず、食品識別情報に応じて食品の収納場所を前記保管期限超過通知手段を介して利用者にお知らせするタグ表示を備えたものであり、タグ表示が点灯あるいは点滅することにより簡便かつ確実に食品の保鮮管理・期限管理可能な冷蔵庫を提供することが出来、食品の在庫管理ができる。【選択図】図１
2009192163.tif 000002
【特許請求の範囲】
【請求項１】
食品を保管する食品保管容器と、前記食品保管容器に取り付けられた食品識別情報の授受を行うことのできる情報タグと、冷蔵庫に設置される前記情報タグとの情報の送受信を行う情報タグ検出手段を備えた在庫管理機能付き冷蔵庫。
【請求項２】
前記情報タグに保管期限を設定する保管期限設定部と、前記情報タグ検出手段に時間を記憶する入庫時間記憶部と、冷蔵庫に取り付けた入庫されてからの時間を計測する入庫タイマと、前記入庫タイマによって計測された時間が前記時間記憶部の時間を超過したことを判定する保管期限判定部と、利用者に超過した旨を通知する保管期間超過通知手段を備えた請求項１に記載の在庫管理機能付き冷蔵庫。
【請求項３】
食品保管容器が冷蔵庫から出庫されたときの時間を記憶する出庫時間記憶部と、予め決められた出庫時間を設定する初期化時間設定部と、出庫されてからの時間を計測する出庫タイマと、前記出庫タイマによって計測された時間が前記初期化時間設定部で予め決められた時間を超過しているかを判定する初期化判定部と、前記食品保管容器が入庫されるときに前回までの情報を初期化する入出庫管理部を備えた請求項１に記載の在庫管理機能付き冷蔵庫。
【請求項４】
食品保管容器に取り付けられた前記情報タグに記憶される食品識別情報に応じて食品の収納場所を前記保管期限超過通知手段を介して利用者にお知らせするタグ表示を備えた請求項１に記載の在庫管理機能付き冷蔵庫。
【請求項５】
前記タグ表示に冷蔵庫の開閉時に動作させる開閉検知手段を備えた請求項１に記載の在庫管理機能付き冷蔵庫。
【請求項６】
前記食品保管容器に取り付けられた前記情報タグからの食品識別情報である温度情報から最適な温度帯に制御する最適温度制御手段を備えた請求項１に記載の在庫管理機能付き冷蔵庫。
【発明の詳細な説明】
【技術分野】
【０００１】
本発明は、冷蔵庫における食品等の物品の在庫管理方式に関するものである。
【背景技術】
【０００２】
従来在庫管理機能付き冷蔵庫としては、庫内に物品設置棚を設け、そこに付加された入出庫検出装置により入出庫を検知し、入庫した日付と手動により入力される入庫物品の保存期限日を記憶するとともに、出庫が検知されても記憶内容を固定保持させるロックスイッチを設け、冷蔵庫前面両側の目視可能位置に設けたモニタに前記記憶内容を表示することにより、庫内に保有する物品の在庫管理を行えるようにしたものがある。
【０００３】
しかし上記の方法においては物品の入庫する場所が限定される上、再入庫の際に以前と同じ場所に入庫する必要があった。
【０００４】
図８に示されるように、この方法ではタッチパネル３４と入庫する物品に関する情報を記載した識別票を発行する手段３５と、入出庫の際に当該識別票を検知する手段３６を設けることによって、物品の入庫する場所を限定することなく在庫管理できるようにしたものである。
【０００５】
食品を入庫する場合に、タッチパネル３４で物品の名称を選択し、識別票発行手段２から食品名や管理コードが付加された識別票を出力する。出力された識別票を入庫する食品に貼り付けて、識別票検知装置３６の前を素通りさせることにより、入出庫の管理ができるようにしたものである
【特許文献１】特開平１１−２０１６２３号公報
【発明の開示】
【発明が解決しようとする課題】
【０００６】
しかしながら、特許文献１に示された方法では、入出庫の際にいちいち識別票検知装置の前を通す必要があり、また入庫の際に識別票の発行と識別票をとりつけるといった作業が発生するため非常に面倒である。
【０００７】
また、識別票が保管される食品からはがれた場合にどの食品が消費期限内であるのか分からなくなってしまう。
【０００８】
また、食品を使い切った後に、識別票を再利用することができず、食品毎に識別票を発行し続ける必要があり、非経済的かつ資源の無駄遣いである。
【０００９】
また、収納される場所が決まっておらず、利用者に最適な収納場所を案内することができない。
【００１０】
また、複数の庫内に分かれている冷蔵庫などでは、識別票では収納されている場所がわからないため結局冷蔵庫の扉を開けて目視確認するしか方法がなく、在庫管理が不十分である。
【００１１】
また、識別票が出力されたときの情報しか持たないため入庫される食品の履歴等が分からないため情報として不十分である。
【００１２】
また、収納場所が不明確のため食品に応じた冷蔵庫の保鮮管理が行われず、在庫情報が活かされないという課題を有していた。
【課題を解決するための手段】
【００１３】
上記従来の課題を解決するために、本発明の在庫管理機能付き冷蔵庫は、この目的を達成するために第１の発明は、食品を保管する食品保管容器と、前記食品保管容器に取り付けられた食品識別情報の授受を行うことのできる情報タグと、冷蔵庫に設置される情報タグとの情報の送受信を行う情報タグ検出手段を備えたことを特徴としている。
【発明の効果】
【００１４】
本発明の在庫管理機能付き冷蔵庫は、食品を保管する食品保管容器と、食品保管容器とは別に取り付けられた食品識別情報の授受を行うことのできる情報タグと、冷蔵庫に設置される前記情報タグとの情報の送受信を行う情報タグ検出手段を基本構成として設けている。
【００１５】
かかる構成により、情報タグを取り付けた食品保管容器に食品をいれて、情報タグの保存したい日数を設定し、入庫するだけで賞味期限の管理が行え、出し入れの際に出庫管理などの面倒な作業が不要で容易に在庫管理をすることができる。
【００１６】
また、保管時間を超過すると利用者に超過した旨を通知する保管期間超過通知手段を設けることにより、食品の取り出し忘れを軽減することができ保管食品の使い忘れ・賞味期限を過ぎた食品の廃棄を防止することができる。
【００１７】
また、不要出庫されてからの時間を計測する出庫タイマを設けることにより、不要な情報を記憶させたままにすることがないので、不要な情報の管理をすることがいらず、以前に設定した情報の再設定忘れによる間違った情報で管理されることを防止することができる。
【００１８】
また、タグ表示を設けることにより、収納されている食品の保管場所、賞味期限切れを、光、音などの五感を刺激する方法で使用者にお知らせすることができる。
【００１９】
また、開閉検知手段を設けているため冷蔵庫の扉が開いている時のみ、タグ表示を点灯するため、す早く対象食品を認識し取り出すことが出来るため、点灯時間を最小限とし、省エネ制御となる。
【００２０】
また、個々の食品を最適な温度帯に制御する最適温度制御手段を設けているため、食品近傍の温度での制御が可能になり、室内温度制御に比べ余分な冷却を抑え省エネとなる、また食品の温度ムラを低減できるため保鮮管理を一層向上させることができる。
【発明を実施するための最良の形態】
【００２１】
請求項１に記載の発明は、食品を保管する食品保管容器と、前記食品保管容器に取り付けられた食品識別情報の授受を行うことのできる情報タグと、冷蔵庫に設置される前記情報タグとの情報の送受信を行う情報タグ検出手段を備えているので、情報タグを取り付けた食品保管容器に食品をいれて入庫するだけで自動的に在庫管理が行え、出し入れの際に面倒な作業が不要で確実に在庫管理をすることができる。
【００２２】
請求項２に記載の発明は、前記情報タグに保管期限を設定する保管期限設定部と、前記情報タグ検出手段に時間を記憶する入庫時間記憶部と、冷蔵庫に取り付けた入庫されてからの時間を計測する入庫タイマと、前記入庫タイマによって計測された時間が前記時間記憶部の時間を超過したことを判定する保管期限判定部と、利用者に超過した旨を通知する保管期間超過通知手段を備えているので、食品の取り出し忘れを軽減することができ保管食品の使い忘れ・賞味期限を過ぎた食品の廃棄を防止することができる。
【００２３】
請求項３に記載の発明は、食品保管容器が冷蔵庫から出庫されたときの時間を記憶する出庫時間記憶部と、予め決められた出庫時間を設定する初期化時間設定部と、出庫されてからの時間を計測する出庫タイマと、前記出庫タイマによって計測された時間が前記初期化時間設定部で予め決められた時間を超過しているかを判定する初期化判定部と、前記食品保管容器が入庫されるときに前回までの情報を初期化する入出庫管理部を備えているので、不要な情報を記憶させたままにすることがないので、不要な情報の管理をすることがいらず、以前に設定した情報の再設定忘れによる間違った情報で管理されることを防止することができる。
【００２４】
請求項４に記載の発明は、食品保管容器に取り付けられた前記情報タグに記憶される食品識別情報に応じて食品の収納場所を前記保管期限超過通知手段を介して利用者にお知らせするタグ表示を備えているので、収納されている食品の保管場所、賞味期限間近かあるいは、賞味期限切れを、使用者にお知らせすることができる。
【００２５】
請求項５に記載の発明は、前記タグ表示を冷蔵庫の開閉時に動作させる開閉検知手段を備えているので、冷蔵庫の扉が開いている時のみ、タグ表示を点灯するため、す早く対象食品を認識し取り出すことが出来るため、点灯時間を最小限とし、省エネ制御となる。
【００２６】
請求項６に記載の発明は、前記食品保管容器に取り付けられた前記情報タグからの食品識別情報である温度情報から最適な温度帯に制御する最適温度制御手段を備えているので、食品に応じた温度帯での制御が可能になり保鮮管理を一層向上させることができる。
【００２７】
以下、本発明の実施の形態について、図面を参照しながら説明する。なお、この実施の形態によってこの発明が限定されるものではない。
【００２８】
（実施の形態１）
本発明の物品貯蔵装置の実施の形態として、食料品を貯蔵する冷蔵庫を用いて説明する。
【００２９】
図１は本発明の実施の形態１における在庫管理機能付き冷蔵庫の概略構成図である。１は冷蔵庫であり、庫内に食品保管容器２を収納できるようになっている。食品保管容器２は、樹脂或いはガラスなどで構成されており、半導体ＩＣチップ等で構成される情報タグ３が容器内に取り付けられている。情報タグ３は、情報データを送受信するためのアンテナ部と通信制御やデータの記憶を行う制御部（ともに図示せず）で構成される。
【００３０】
食品保管容器２に取り付けられた情報タグ３を検知する情報タグ検出手段４は、情報タグ３  との情報データの送受信を行うためのアンテナ部（図示せず）と情報タグに無接点電力供給するための誘導電力供給部（図示せず）および制御部からなる。情報タグ検出手段４は、情報タグ３を検出するための検知データを常時出力しており、情報タグ３が一定の範囲内に近づくと情報タグ３から、返答データを受信することで特定の情報タグ３を検出する。
【００３１】
図２は、本発明の実施の形態１における在庫管理機能付き冷蔵庫の棚構成図である。棚５は、情報タグ３のデータを送受信するための情報タグ検出手段４と、使用者が望む情報タグ３が棚５に存在する場合に点灯する棚表示８と、使用者が冷蔵庫１のドアを開けたときに情報タグ検出手段４が情報タグ３を検出する動作を行うため光センサ等の開閉検知手段９で構成されている。また棚５上には、お皿、食品保存容器等が置ける構造になっている。また、食品保管容器２の蓋を覆うことで、取り付けられる情報タグ３は、保存日数７を例えば「１日から７日」を切り替えられるダイヤル６と、情報タグ検出手段４からのデータを、情報タグ３を経由し、リング状に光ることができるタグ表示１０で構成されている。
【００３２】
また情報タグ３は、ダイヤル６で設定できる保存日数７のデータを設定する保管期限設定部１４と、保管期限が超過した場合通知するタグ表示１０で構成されている。尚保存日数７のデータは、情報タグ検出手段４により読み出すことができる。
【００３３】
図３は本発明の実施の形態１における在庫管理機能付き冷蔵庫の入庫時の機能ブロック図である。同様のものについては同符号をつけ説明を割愛する。
【００３４】
情報タグ検出手段４は、食品保存容器２に取り付けられた情報タグ３の入庫時間を記憶する入庫時間記憶部１２と、時間をカウントする入庫タイマ１３と、保管期限判定部１１からの保存日数７のデータと、入庫タイマ１３との比較を行う保管期限設定部１４と、保存日数７＜入庫タイマ１３の関係になった場合に保管期限が超過したことを通知する保管期限超過通知手段１５で構成されている。
【００３５】
以上の構成における本発明の実施例について図面を用いて説明する。
【００３６】
利用者は在庫管理したい食品ごとに食品保管容器２を用意する。次に食品保管容器２を情報タグ３で食品保管容器２を覆うように取り付ける。情報タグ３のダイヤル６で、所望の保存日数７（食品の賞味期限、または消費期限を参考）を設定する。その後、食品保管容器２を情報タグ検知手段４に近づけることにより登録される。
【００３７】
また、食品が登録されたあとは、それぞれの食品保管容器２に食品を入れて、冷蔵庫１内に収納することで、情報タグ検出手段４が食品保管容器２に取り付けられた情報タグ３と通信を行い自動的に入庫がセットされる。
【００３８】
また情報タグ３に設定された保存日数７が、冷蔵庫３内に滞在した期間を超過した場合、その情報タグ３が存在している棚５の棚表示８が点灯し、情報タグ３のタグ表示１０が点灯され、保存日数が超過したことを、開閉検知手段９のタイミングで使用者にお知らせする。
【００３９】
食品保管容器２が冷蔵庫１から出庫されると情報タグ検出手段４との通信が解除され出庫されたことを検知する。これにより自動的に食品の入出庫が管理され、登録または廃棄が行われる。
【００４０】
以上のように、食品保管容器２に情報タグ３を取り付けて、情報タグ検出手段４で食品の入出庫を管理するので、収納する食品を食品保管容器に食品をいれ、情報タグを取り付け保存日数７をダイヤル６で設定するだけで、保存日数７が超過した場合、その食品保管容器２の保管場所を棚表示８、タグ表示１０の点灯で使用者にお知らせすることができ、出し入れの際に面倒な検索作業が不要で、確実に保存日数などの在庫管理をすることができる。
【００４１】
図４は同実施の形態１の入庫タイマ動作フローチャートである。食品が食品保管容器２に入れられ冷蔵庫１内に入庫されると（ＳＴＥＰ１）、入庫タイマ１３の計測が開始される（ＳＴＥＰ２）。入庫タイマ１３は、食品保管容器２が出庫されるのを情報タグ検出手段４で検出されると（ＳＴＥＰ３）、入庫タイマ１５をクリアして待機状態にもどす（ＳＴＥＰ６）。
【００４２】
出されなければ、入庫タイマ１３で計測された時間が、情報タグ３からの保存日数７で設定した時間を超過していないかどうかを判定する（ＳＴＥＰ４）。時間が超過していない場合は、再びＳＴＥＰ３にもどって出庫されたか否かの判定をする。もし超過していたならば、保管期間超過通知手段１５により、棚５の棚表示８と、情報タグ３のタグ表示１０を点灯し、利用者に保存日数が超過とその食品保管容器の保管場所を通知する（ＳＴＥＰ５）。
【００４３】
以上のように、入庫タイマにより保管食品の時間管理がなされるので、食品を冷蔵庫内に放置して食品を腐敗させ、あるいは鮮度がかなり落ちて、廃棄するようなことを防止できる。
【００４４】
図５は本発明の実施の形態１における在庫管理機能付き冷蔵庫の出庫時の機能ブロック図である。同様のものについては同符号をつけ説明を割愛する。
【００４５】
情報タグ３が取り付けられた食品保管容器２が冷蔵庫１外に出庫されたときに出庫された時間を記憶する出庫時間記憶部１７である。出庫時間記憶部１７に出庫時間が記憶されると、それに連動して時間を計測するのが出庫タイマ１８である。出庫タイマ１８によって計測された時間は、予め初期化時間設定部１９にて利用者が設定した時間内か否かが初期化判定部２０にて判定される。
【００４６】
初期化判定部２０にて判定された結果、利用者が初期化時間設定部１９で設定した時間を超過した場合には入出庫管理記憶部２１にて記憶されている食品保管容器２に取り付けられた情報タグ３の固定ＩＤ番号に応じて設定された情報をリセットする。
【００４７】
入出庫管理記憶部２１は、情報タグ３に設定された固定ＩＤ番号と、設定された食品名等の情報を記憶するもので、半導体メモリー等で構成されている。
【００４８】
図６は同実施の形態１の出庫タイマ動作フローチャートである。食品が食品保管容器２に入れられ冷蔵庫１から出庫されると（ＳＴＥＰ１）、出庫タイマ１８の計測が開始される（ＳＴＥＰ２）。出庫タイマ１８は、食品保管容器２が入庫されるのを情報タグ検出手段４で検出されると（ＳＴＥＰ３）、出庫タイマ１８をクリアして待機状態にもどす（ＳＴＥＰ６）。
【００４９】
入庫が検出されなければ、出庫タイマ１７で計測された時間が利用者が設定した時間あるいは初期設定で予め設定された時間を超過していないかどうかを判定する（ＳＴＥＰ４）。時間が超過していない場合は、再びＳＴＥＰ３にもどって入庫されたか否かの判定をする。もし超過していたならば、入出庫管理記憶部２１にある該当する情報タグ３の固定ＩＤ番号の情報を初期化しリセットする（ＳＴＥＰ５）。
【００５０】
以上のように、出庫タイマにより出庫されている時間が長い場合に、該当する容器に入れられた食品が消費されたと判断するので、無駄な情報の記憶を保存したままにならず、必要な情報のみ管理できる。また、以前に設定した情報のままになって、間違った情報で管理されることを防止することができる。
【００５１】
図７は本発明の実施の形態１における在庫管理機能付き冷蔵庫の温度検出時の機能ブロック図である。同様のものについては同符号をつけ説明を割愛する。
【００５２】
入出庫の検出する情報タグ検出手段４を、冷蔵庫１の収納室の棚５に設置しているため、利用者が情報タグ３の取り付けた食品保管容器２に食品をいれて冷蔵庫１内に食品が入庫されると、該当する収納室に設けられた情報タグ検出手段４と通信を行い、収納室の設定温度との差をなくすように、最適温度制御手段２２を介して、収納室の背面に設けられた冷却風路と収納室の間に設けられた冷却ダンパによって冷却された空気の流入量を調整することにより収納室内の温度を制御する。
【００５３】
以上のように、情報タグ３を取り付けた食品保管容器２に食品をいれて、情報タグ３の保存したい日数を設定し、入庫するだけで賞味期限の管理が行え、出し入れの際に出庫管理などの面倒な作業が不要で容易に在庫管理をすることができる。
【００５４】
また、保管時間を超過すると利用者に超過した旨を通知する保管期間超過通知手段１５を設けることにより、食品の取り出し忘れを軽減することができ保管食品の使い忘れを防止することができる。
【００５５】
また、不要出庫されてからの時間を計測する出庫タイマ１８を設けることにより、不要な情報を記憶させたままにすることがないので、不要な情報の管理をすることがいらず、以前に設定した情報の再設定忘れによる間違った情報で管理されることを防止することができる。
【００５６】
また、タグ表示１０を設けることにより、収納されている食品の保管場所、賞味期限切れを、光、音などの五感を刺激する方法で使用者にお知らせすることができる。
【００５７】
また、開閉検知手段９を設けているため冷蔵庫の扉が開いている時のみ、タグ表示を点灯するため、省エネ制御となる。
【００５８】
また、個々の食品を最適な温度帯に制御する最適温度制御手段を設けているため、食品近傍の温度での制御が可能になり、室内温度制御に比べ余分な冷却を抑え省エネとなる、また食品の温度ムラを低減できるため保鮮性を一層向上させることができる。
【産業上の利用可能性】
【００５９】
以上のように、本発明は収納されている食品の保管場所、賞味期限切れを、光、音などの五感を刺激する方法で使用者にお知らせすることができるため、この機能を有する装置全般に適用できるものである。
【図面の簡単な説明】
【００６０】
【図１】本発明の実施の形態１における在庫管理機能付き冷蔵庫の概略構成図
【図２】本発明の実施の形態１における在庫管理機能付き冷蔵庫の棚構成図
【図３】本発明の実施の形態１における在庫管理機能付き冷蔵庫の入庫時の機能ブロック図
【図４】同実施の形態１の入庫タイマ動作フローチャート
【図５】本発明の実施の形態１における在庫管理機能付き冷蔵庫の出庫時の機能ブロック図
【図６】同実施の形態１の出庫タイマ動作フローチャート
【図７】本発明の実施の形態１における在庫管理機能付き冷蔵庫の温度検出時の機能ブロック図
【図８】従来例の概略構成図
【符号の説明】
【００６１】
１    冷蔵庫
２    食品保管容器
３    情報タグ
４    情報タグ検出手段
９    開閉検知手段
１０  タグ表示
１１  保管期限判定部
１２  入庫時間記憶部
１３  入庫タイマ
１４  保管期限設定部
１５  保管期限超過通知手段
１７  出庫時間記憶部
１８  出庫タイマ
１９  初期化時間設定部
２０  初期化判定部
２１  入出庫管理部
２２  最適温度制御手段
【図３】
2009192163.tif 000003
【図４】
2009192163.tif 000004
【図５】
2009192163.tif 000005
【図６】
2009192163.tif 000006
【図７】
2009192163.tif 000007
【図１】
2009192163.tif 000008
【図２】
2009192163.tif 000009
【図８】
2009192163.tif 000010